(57)【要約】【課題】  システム状態変化によって生じるオーバースペック動作による動作効率低下を防ぐことができる光ディスク記録再生装置を提供する。【解決手段】  光ディスク記録再生装置において、システム状態を出力する制御手段１０１と、システム状態変化を分析して第１から第Ｎ（Ｎは１以上の整数）の最適サンプル速度を出力するサンプル速度出力手段１０３と、それぞれ前記第１から第Ｎの最適サンプル速度で動作する第１から第Ｎの処理手段１０２とを備え、前記サンプル速度出力手段１０３は、前記第１から第Ｎの最適サンプル速度を前記システム状態変化に応じて変更することにより、オーバースペック動作を防止して高速化及び省電力化を図り動作効率を向上することができるようにした。【選択図】  図１
2005339605.tif 000002
【特許請求の範囲】
【請求項１】
システム状態を出力する制御手段と、
システム状態変化を分析して第１から第Ｎ（Ｎは１以上の整数）の最適サンプル速度を出力するサンプル速度出力手段と、
それぞれ前記第１から第Ｎの最適サンプル速度で動作する第１から第Ｎの処理手段とを備え、
前記サンプル速度出力手段は、
前記第１から第Ｎの最適サンプル速度をそれぞれ前記システム状態変化に応じて変更する、
ことを特徴とする光ディスク記録再生装置。
【請求項２】
システム状態変化を分析して第１から第Ｎ（Ｎは１以上の整数）の最適サンプル速度及び第１から第Ｎの処理手段の最適実行順序を出力するサンプル速度・実行順序出力手段と、
それぞれ前記第１から第Ｎの最適サンプル速度で動作する第１から第Ｎの処理手段とを備え、
前記サンプル速度・実行順序出力手段は、
前記第１から第Ｎの最適サンプル速度及び前記第１から第Ｎの処理手段の最適実行順序を前記システム状態変化に応じて変更する、
ことを特徴とする光ディスク記録再生装置。
【請求項３】
請求項２記載の光ディスク記録再生装置において、
前記サンプル速度・実行順序出力手段は、
前記第１から第Ｎ（Ｎは１以上の整数）の最適サンプル速度を指定する最適サンプル速度指定テーブルと、前記第１から第Ｎの処理手段の最適実行順序を指定する最適実行順序指定テーブルとを有し、
前記最適サンプル速度指定テーブルの指定値と前記最適実行順序指定テーブルの指定値とを前記システム状態変化に応じて変更する、
ことを特徴とする光ディスク記録再生装置。
【請求項４】
請求項２から請求項３のいずれかに記載の光ディスク記録再生装置において、
システム状態、第１から第Ｎ（Ｎは１以上の整数）の最適サンプル速度及び前記第１から第Ｎの処理手段の最適実行順序を出力する制御手段を備え、
前記制御手段は、
第１から第Ｎの最適サンプル速度及び前記第１から第Ｎの処理手段の最適実行順序を直接指定する、
ことを特徴とする光ディスク記録再生装置。
【請求項５】
請求項１から請求項４のいずれかに記載の光ディスク記録再生装置において、
前記制御手段は、
前記第１から第Ｎ（Ｎは１以上の整数）の処理手段の全てが動作不要な期間が単一サンプル周期内に存在する場合、前記期間中は前記第１から第Ｎの処理手段へのクロック供給を停止する、
ことを特徴とする光ディスク記録再生装置。
【請求項６】
請求項１から請求項５のいずれかに記載の光ディスク記録再生装置において、
前記第１から第Ｎ（Ｎは１以上の整数）の処理手段は、
第１から第Ｎのパラメータ群を有し、
前記第１から第Ｎの最適サンプル速度の変更に連動して前記第１から第Ｎのパラメータ群の設定値をそれぞれ変更する、
とを特徴とする光ディスク記録再生装置。
【発明の詳細な説明】
【技術分野】
【０００１】
本発明は、高倍速記録及び低消費電力を要求される光ディスク記録再生装置に関するものである。
【背景技術】
【０００２】
図３は、従来の光ディスク記録再生装置の構成を示すブロック図である。
図３において、制御手段３０１と、第１から第Ｎ（Ｎは１以上の整数）の処理手段３０２と、を備える。
【０００３】
制御手段３０１は、第１から第Ｎのサンプル速度を出力する。第１から第Ｎの処理手段３０２は、それぞれ前記第１から第Ｎのサンプル速度で動作する。
【０００４】
ここで、サンプル周期をＴｓとする。また、サンプル速度が「ｖ（ｖは０以上の数）」の場合、処理手段３０２はｖ＊Ｔｓに１回動作するものとする。例えば、サンプル速度が「２」の場合、処理手段３０２は２Ｔｓに１回動作するものとする。サンプル速度が「１．５」の場合、処理手段３０２は３Ｔｓに２回動作するものとする。ただし、サンプル速度が「０」の場合、処理手段３０２は動作しないものとする。
【０００５】
また、前記制御手段３０１が出力する第１から第Ｎのサンプル速度は、Ｎ個の別々な一定値である。ただし、前記制御手段３０１は、前記第１から第Ｎのサンプル速度のうち、任意個数のサンプル速度をシステム状態変化に応じて「０」にすることができる。
【０００６】
また、システム状態とは、例えばフォーカスオン状態、トラッキングオン状態、記録中の状態、再生中の状態、シーク中の状態、等を指すものとし、システム状態変化とは、例えばシステム状態が記録中の状態から再生中の状態へ変化する、等を指すものとする。
【０００７】
次に、上記のように構成された従来の光ディスク記録再生装置の動作について説明する。
図４は、従来の光ディスク記録再生装置の動作を示す図である。ここで、状態１は第１のシステム状態を示し、状態２は第２のシステム状態を示し、処理１から処理６は第１から第６の処理手段を示している。
【０００８】
図４において、４０１は、状態１における第２の処理手段のサンプル周期当たりの処理時間であり、４０２は、状態１における第３の処理手段のサンプル周期当たりの処理時間であり、４０３は、状態１におけるサンプル周期当たりの最大総処理時間であり、４０４は、状態２における第２の処理手段のサンプル周期当たりの処理時間であり、４０５は、状態２における第３の処理手段のサンプル周期当たりの処理時間であり、４０６は、状態２におけるサンプル周期当たりの最大総処理時間である。
【０００９】
図４では例として、システム状態が状態１から状態２に変化した場合の第１から第６の処理手段の動作を示しており、状態１及び状態２において、第１のサンプル速度は「１」であり、第２のサンプル速度は「１」であり、第３のサンプル速度は「１」であり、第４のサンプル速度は「２」である。また、第５のサンプル速度は状態１では「２」であり状態２では「０」であり、第６のサンプル速度は状態１では「０」であり状態２では「２」である。
【００１０】
また、図４における処理順は、状態１の処理順Ａ、状態１の処理順Ｂ、状態２の処理順Ａ、状態２の処理順Ｂ、の順である。
【００１１】
状態１においては、第４の処理手段と第５の処理手段はそれぞれ第４、第５のサンプル速度が「２」であり、低いサンプル速度で交互に処理順Ａと処理順Ｂを実行することで、状態１におけるサンプル周期当たりの総処理時間４０３を小さくすることができる。また、状態２においては、第５の処理手段を実行しない代わりにサンプル速度が「２」である第６の処理手段を実行することで、状態２におけるサンプル周期当たりの総処理時間４０６を延長することなく第６の処理手段を実行することができる。
【特許文献１】特開平９−１６７３６７号公報
【発明の開示】
【発明が解決しようとする課題】
【００１２】
しかしながら、上述した従来の光ディスク記録再生装置は、前記制御手段３０１が出力する第１から第Ｎのサンプル速度がＮ個の別々な一定値であり、別々な任意値ではない。
【００１３】
例えば、ゲインコントロール処理の最適なサンプル速度は、記録中の状態では高く、トラックジャンプ中の状態では低いところ、従来の光ディスク記録再生装置は、ゲインコントロール処理のサンプル速度が、記録中の状態、またはトラックジャンプ中の状態のいずれのシステム状態においても、高いままで変化しない。このように、最適なサンプル速度はシステム状態変化に応じて変動するため、従来の光ディスク記録再生装置では、第１から第Ｎのサンプル速度がＮ個の別々な一定値であることにより、第１から第Ｎの処理手段はシステム状態変化によってはオーバースペック動作になってしまうという問題があった。
【００１４】
本発明は、上述の課題を解決するためになされたものであり、第１から第Ｎのサンプル速度をＮ個の別々な任意値とすることにより、オーバースペック動作を防止して動作効率向上を可能とする光ディスク記録再生装置を提供することを目的とする。
【課題を解決するための手段】
【００１５】
前記課題を解決するために、本発明の請求項１にかかる光ディスク記録再生装置は、システム状態を出力する制御手段と、システム状態変化を分析して第１から第Ｎ（Ｎは１以上の整数）の最適サンプル速度を出力するサンプル速度出力手段と、それぞれ前記第１から第Ｎの最適サンプル速度で動作する第１から第Ｎの処理手段とを備え、前記サンプル速度出力手段は、前記第１から第Ｎの最適サンプル速度をそれぞれ前記システム状態変化に応じて変更することを特徴とするものである。
【００１６】
本発明の請求項２にかかる光ディスク記録再生装置は、システム状態変化を分析して第１から第Ｎ（Ｎは１以上の整数）の最適サンプル速度及び第１から第Ｎの処理手段の最適実行順序を出力するサンプル速度・実行順序出力手段と、それぞれ前記第１から第Ｎの最適サンプル速度で動作する第１から第Ｎの処理手段とを備え、前記サンプル速度・実行順序出力手段は、前記第１から第Ｎの最適サンプル速度及び前記第１から第Ｎの処理手段の最適実行順序を前記システム状態変化に応じて変更することを特徴とするものである。
【００１７】
本発明の請求項３にかかる光ディスク記録再生装置は、請求項２記載の光ディスク記録再生装置において、前記サンプル速度・実行順序出力手段は、前記第１から第Ｎ（Ｎは１以上の整数）の最適サンプル速度を指定する最適サンプル速度指定テーブルと、前記第１から第Ｎの処理手段の最適実行順序を指定する最適実行順序指定テーブルとを有し、前記最適サンプル速度指定テーブルの指定値と前記最適実行順序指定テーブルの指定値とを前記システム状態変化に応じて変更することを特徴とするものである。
【００１８】
本発明の請求項４にかかる光ディスク記録再生装置は、請求項２から請求項３のいずれかに記載の光ディスク記録再生装置において、システム状態、第１から第Ｎ（Ｎは１以上の整数）の最適サンプル速度及び前記第１から第Ｎの処理手段の最適実行順序を出力する制御手段を備え、前記制御手段は、第１から第Ｎの最適サンプル速度及び前記第１から第Ｎの処理手段の最適実行順序を直接指定することを特徴とするものである。
【００１９】
本発明の請求項５にかかる光ディスク記録再生装置は、請求項１から請求項４のいずれかに記載の光ディスク記録再生装置において、前記制御手段は、前記第１から第Ｎ（Ｎは１以上の整数）の処理手段の全てが動作不要な期間が単一サンプル周期内に存在する場合、前記期間中は前記第１から第Ｎの処理手段へのクロック供給を停止することを特徴とするものである。
【００２０】
本発明の請求項６にかかる光ディスク記録再生装置は、請求項１から請求項５のいずれかに記載の光ディスク記録再生装置において、前記第１から第Ｎ（Ｎは１以上の整数）の処理手段は、第１から第Ｎのパラメータ群を有し、前記第１から第Ｎの最適サンプル速度の変更に連動して前記第１から第Ｎのパラメータ群の設定値をそれぞれ変更することを特徴とするものである。
【発明の効果】
【００２１】
以上のように、本発明の請求項１にかかる光ディスク記録再生装置によれば、システム状態を出力する制御手段と、システム状態変化を分析して第１から第Ｎ（Ｎは１以上の整数）の最適サンプル速度を出力するサンプル速度出力手段と、それぞれ前記第１から第Ｎの最適サンプル速度で動作する第１から第Ｎの処理手段とを備え、前記サンプル速度出力手段は、前記第１から第Ｎの最適サンプル速度をそれぞれ前記システム状態変化に応じて変更することにより、オーバースペック動作を防止して高速化及び省電力化を図り、動作効率向上することができる。
【００２２】
また、本発明の請求項２にかかる光ディスク記録再生装置によれば、システム状態変化を分析して第１から第Ｎ（Ｎは１以上の整数）の最適サンプル速度及び第１から第Ｎの処理手段の最適実行順序を出力するサンプル速度・実行順序出力手段と、それぞれ前記第１から第Ｎの最適サンプル速度で動作する第１から第Ｎの処理手段とを備え、前記サンプル速度・実行順序出力手段は、前記第１から第Ｎの最適サンプル速度及び前記第１から第Ｎの処理手段の最適実行順序を前記システム状態変化に応じて変更することにより、オーバースペック動作を防止して動作効率向上することができるとともに、サンプル周期当たりの最大総処理時間を短縮することができる。
【００２３】
また、本発明の請求項３にかかる光ディスク記録再生装置によれば、請求項２記載の光ディスク記録再生装置において、前記サンプル速度・実行順序出力手段は、前記第１から第Ｎ（Ｎは１以上の整数）の最適サンプル速度を指定する最適サンプル速度指定テーブルと、前記第１から第Ｎの処理手段の最適実行順序を指定する最適実行順序指定テーブルとを有し、前記最適サンプル速度指定テーブルの指定値と前記最適実行順序指定テーブルの指定値とを前記システム状態変化に応じて変更することにより、オーバースペック動作防止及びサンプル周期当たりの最大総処理時間短縮するための情報をテーブルで管理することができる。
【００２４】
また、本発明の請求項４にかかる光ディスク記録再生装置によれば、請求項２から請求項３のいずれかに記載の光ディスク記録再生装置において、システム状態、第１から第Ｎ（Ｎは１以上の整数）の最適サンプル速度及び前記第１から第Ｎの処理手段の最適実行順序を出力する制御手段を備え、前記制御手段は、第１から第Ｎの最適サンプル速度及び前記第１から第Ｎの処理手段の最適実行順序を直接指定することにより、オーバースペック動作防止及びサンプル周期当たりの最大総処理時間短縮をするための情報を手動指定することができる。
【００２５】
また、本発明の請求項５にかかる光ディスク記録再生装置によれば、請求項１から請求項４のいずれかに記載の光ディスク記録再生装置において、前記制御手段は、前記第１から第Ｎ（Ｎは１以上の整数）の処理手段の全てが動作不要な期間が単一サンプル周期内に存在する場合、前記期間中は前記第１から第Ｎの処理手段へのクロック供給を停止することにより、システムの消費電力を抑えることができる。
【００２６】
また、本発明の請求項６にかかる光ディスク記録再生装置によれば、請求項１から請求項５のいずれかに記載の光ディスク記録再生装置において、前記第１から第Ｎ（Ｎは１以上の整数）の処理手段は、第１から第Ｎのパラメータ群を有し、前記第１から第Ｎの最適サンプル速度の変更に連動して前記第１から第Ｎのパラメータ群の設定値をそれぞれ変更することにより、前記第１から第Ｎの最適サンプル速度を変更した場合でも前記第１から第Ｎの時間依存パラメータを常に正しく設定することができる。
【発明を実施するための最良の形態】
【００２７】
以下、本発明の実施の形態について、図面を参照しながら説明する。
（実施の形態１）
以下に、本発明の請求項１に対応する実施の形態１による光ディスク記録再生装置について図１、及び図２を用いて説明する。
図１は、本発明の実施の形態１による光ディスク記録再生装置の構成を示すブロック図である。
【００２８】
図１に示すように、本実施の形態１による光ディスク記録再生装置は、制御手段１０１と、第１から第Ｎ（Ｎは１以上の整数）の処理手段１０２と、サンプル速度出力手段１０３と、を備える。
【００２９】
制御手段１０１は、サンプル速度出力手段１０３へシステム状態を出力する。
サンプル速度出力手段１０３は、システム状態変化を分析して第１から第Ｎの最適サンプル速度をそれぞれ第１から第Ｎの処理手段１０２に出力する。
【００３０】
第１から第Ｎの処理手段１０２は、それぞれ前記第１から第Ｎの最適サンプル速度で動作する。
【００３１】
ここで、サンプル周期をＴｓとする。また、サンプル速度が「ｖ（ｖは０以上の数）」の場合、処理手段はｖ＊Ｔｓに１回動作するものとする。例えば、サンプル速度が「２」の場合、処理手段は２Ｔｓに１回動作するものとする。サンプル速度が「１．５」の場合、処理手段は３Ｔｓに２回動作するものとする。ただし、サンプル速度が「０」の場合、処理手段は動作しないものとする。
【００３２】
また、前記サンプル速度出力手段１０３が出力する第１から第Ｎの最適サンプル速度は、Ｎ個の別々な任意値である。
【００３３】
また、システム状態とは、例えばフォーカスオン状態、トラッキングオン状態、記録中の状態、再生中の状態、シーク中の状態、等を指すものとし、システム状態変化とは、例えばシステム状態が記録中の状態から再生中の状態へ変化する、等を指すものとする。
【００３４】
また、前記サンプル速度出力手段１０３及び前記第１から第Ｎの処理手段１０２は、例えばソフトウェアによる実現が可能であるが、ハードウェアによる実現も可能である。
【００３５】
次に、本発明の実施の形態１による光ディスク記録再生装置の動作について説明する。
図２は、本発明の実施の形態１による光ディスク記録再生装置の動作を示す図である。ここで、状態１は第１のシステム状態を示し、状態２は第２のシステム状態を示し、処理１から処理６は第１から第６の処理手段を示している。
【００３６】
図２において、２０１は状態１における第２の処理手段のサンプル周期当たりの処理時間であり、２０２は状態１における第３の処理手段のサンプル周期当たりの処理時間であり、２０３は状態１におけるサンプル周期当たりの最大総処理時間であり、２０４は状態２における第２の処理手段のサンプル周期当たりの処理時間であり、２０５は状態２における第３の処理手段のサンプル周期当たりの処理時間であり、２０６は状態２におけるサンプル周期当たりの最大総処理時間である。
【００３７】
図２では例として、システム状態が状態１から状態２に変化した場合の第１から第６の処理手段の動作を示しており、状態１における第１の最適サンプル速度は「１」であり、状態１における第２の最適サンプル速度は「１」であり、状態１における第３の最適サンプル速度は「１」であり、状態１における第４の最適サンプル速度は「２」であり、状態１における第５の最適サンプル速度は「２」であり、状態１における第６の最適サンプル速度は「０」であり、状態２における第１の最適サンプル速度は「１」であり、状態２における第２の最適サンプル速度は「２」であり、状態２における第３の最適サンプル速度は「２」であり、状態２における第４の最適サンプル速度は「２」であり、状態２における第５の最適サンプル速度は「０」であり、状態２における第６の最適サンプル速度は「２」である。また、図２における処理順は、状態１の処理順Ａ、状態１の処理順Ｂ、状態２の処理順Ａ、状態２の処理順Ｂ、の順である。
【００３８】
システム状態が状態１から状態２に変化した時、前記サンプル速度出力手段１０３は、制御手段１０１から入力されたシステム状態を分析し、第２のサンプル速度と第３のサンプル速度を下げてもよいと判断した場合、第２の処理手段と第３の処理手段はサンプル速度を、それぞれ状態１での第２、第３の最適サンプル速度である「１」から状態２での第２、第３の最適サンプル速度である「２」に変更して処理順Ａと処理順Ｂで交互に実行することで、状態２におけるサンプル周期当たりの総処理時間２０６を小さくすることができる。
【００３９】
ここで、システム状態が状態１から状態２に変化するとは、例えば、光ディスクの記録中の状態からトラックジャンプの状態に変化するなどのことを言う。また、サンプル速度を下げるとは、例えば、フォーカスエラー信号などのゲインコントロール処理のサンプル速度を下げて実行するなどのことを言う。
【００４０】
以上のように、本発明の実施の形態１によれば、システム状態を出力する制御手段１０１と、それぞれ第１から第Ｎの最適サンプル速度で動作する第１から第Ｎの処理手段１０２と、システム状態変化を分析して前記第１から第Ｎの最適サンプル速度を出力するサンプル速度出力手段１０３と、を備え、前記サンプル速度出力手段１０３は、前記第１から第Ｎの最適サンプル速度をシステム状態変化に応じて変更することにより、オーバースペック動作を防止して動作効率を向上することができるという効果がある。
【００４１】
（実施の形態２）
以下に、本発明の請求項２から請求項４に対応する実施の形態２による光ディスク記録再生装置について図５から図１２を用いて説明する。
【００４２】
図５は、本発明の実施の形態２による光ディスク記録再生装置の構成を示すブロック図である。
図５に示すように、本実施の形態２による光ディスク記録再生装置は、制御手段５０１と、第１から第Ｎ（Ｎは１以上の整数）の処理手段５０２と、サンプル速度・実行順序出力手段５０３と、を備える。
【００４３】
制御手段５０１は、サンプル速度・実行順序出力手段５０３へシステム状態と、サンプル速度及び最適実行順序を出力する。
【００４４】
サンプル速度・実行順序出力手段５０３は、システム状態変化を分析して第１から第Ｎの最適サンプル速度及び第１から第Ｎの処理手段の最適実行順序をそれぞれ第１から第Ｎの処理手段５０２に出力する。
【００４５】
第１から第Ｎの処理手段５０２は、それぞれ前記第１から第Ｎの最適サンプル速度及び前記第１から第Ｎの処理手段の最適実行順序で動作する。
【００４６】
ここで、サンプル周期をＴｓとする。また、サンプル速度が「ｖ（ｖは０以上の数）」の場合、処理手段はｖ＊Ｔｓに１回動作するものとする。例えば、サンプル速度が「２」の場合、処理手段は２Ｔｓに１回動作するものとする。サンプル速度が「１．５」の場合、処理手段は３Ｔｓに２回動作するものとする。ただし、サンプル速度が「０」の場合、処理手段は動作しないものとする。
【００４７】
また、サンプル速度・実行順序出力手段５０３が出力する第１から第Ｎの最適サンプル速度は、Ｎ個の別々な任意値である。
【００４８】
また、システム状態とは、例えばフォーカスオン状態、トラッキングオン状態、記録中の状態、再生中の状態、シーク中の状態、等を指すものとし、システム状態変化とは、例えばシステム状態が記録中の状態から再生中の状態へ変化する、等を指すものとする。
【００４９】
また、前記サンプル速度・実行順序出力手段５０３及び前記第１から第Ｎの処理手段５０２は、例えばソフトウェアによる実現が可能であるが、ハードウェアによる実現も可能である。
【００５０】
次に、本発明の実施の形態２による光ディスク記録再生装置の動作について説明する。
図６は、本発明の実施の形態２による光ディスク記録再生装置の動作を示す図である。ここで、状態１から状態３は第１から第３のシステム状態を示し、処理１から処理６は第１から第６の処理手段を示している。
【００５１】
図６において、６０１は状態１における第２の処理手段のサンプル周期当たりの処理時間であり、６０２は状態１における第３の処理手段のサンプル周期当たりの処理時間であり、６０３は状態１におけるサンプル周期当たりの最大総処理時間であり、６０４は状態２における第２の処理手段のサンプル周期当たりの処理時間であり、６０５は状態２における第３の処理手段のサンプル周期当たりの処理時間であり、６０６は状態２におけるサンプル周期当たりの最大総処理時間であり、６０７は状態３における第３の処理手段のサンプル周期当たりの処理時間であり、６０８は状態３における第２の処理手段のサンプル周期当たりの処理時間であり、６０９は状態３におけるサンプル周期当たりの最大総処理時間である。
【００５２】
図６では例として、システム状態が状態１から状態２に変化した後状態３に変化した場合の第１から第６の処理手段の動作を示しており、状態１における第１の最適サンプル速度は「１」であり、状態１における第２の最適サンプル速度は「１」であり、状態１における第３の最適サンプル速度は「１」であり、状態１における第４の最適サンプル速度は「２」であり、状態１における第５の最適サンプル速度は「２」であり、状態１における第６の最適サンプル速度は「０」であり、状態２及び状態３における第１の最適サンプル速度は「１」であり、状態２及び状態３における第２の最適サンプル速度は「２」であり、状態２及び状態３における第３の最適サンプル速度は「２」であり、状態２及び状態３における第４の最適サンプル速度は「２」であり、状態２及び状態３における第５の最適サンプル速度は「０」であり、状態２及び状態３における第６の最適サンプル速度は「２」である。
【００５３】
また、図６における処理順は、状態１の処理順Ａ、状態１の処理順Ｂ、状態２の処理順Ａ、状態２の処理順Ｂ、状態３の処理順Ａ、状態３の処理順Ｂ、の順である。
【００５４】
図７は、本発明の実施の形態２による光ディスク記録再生装置の状態１における最適サンプル速度指定テーブルである。
図７では例として、前記状態１における最適サンプル速度指定テーブル７０１は第１から第６の処理手段に対応する６個の最適サンプル速度を指定している。
【００５５】
図８は、本発明の実施の形態２による光ディスク記録再生装置の状態１における最適実行順序指定テーブルである。
図８では例として、前記状態１における最適実行順序指定テーブル８０１は、処理順Ａにおける第１から第６の処理手段の最適実行順序と、処理順Ｂにおける第１から第６の処理手段の最適実行順序と、を指定している。
【００５６】
図９は、本発明の実施の形態２による光ディスク記録再生装置の状態２における最適サンプル速度指定テーブルである。
図９では例として、前記状態２における最適サンプル速度指定テーブル９０１は第１から第６の処理手段に対応する６個の最適サンプル速度を指定している。
【００５７】
図１０は、本発明の実施の形態２による光ディスク記録再生装置の状態２における最適実行順序指定テーブルである。
図１０では例として、前記状態２における最適実行順序指定テーブル１００１は、処理順Ａにおける第１から第６の処理手段の最適実行順序と、処理順Ｂにおける第１から第６の処理手段の最適実行順序と、を指定している。ただし、「―」を指定した時は第１から第６の処理手段の全てが動作不要である。
【００５８】
図１１は、本発明の実施の形態２による光ディスク記録再生装置の状態３における最適サンプル速度指定テーブルである。
図１１では例として、前記状態３における最適サンプル速度指定テーブル１１０１は第１から第６の処理手段に対応する６個の最適サンプル速度を指定している。
【００５９】
図１２は、本発明の実施の形態２による光ディスク記録再生装置の状態３における最適実行順序指定テーブルである。
図１２では例として、前記状態３における最適実行順序指定テーブル１２０１は、処理順Ａにおける第１から第６の処理手段の最適実行順序と、処理順Ｂにおける第１から第６の処理手段の最適実行順序と、を指定している。ただし、「―」を指定した時は第１から第６の処理手段の全てが動作不要であるものとする。
【００６０】
システム状態が状態１の時、前記サンプル速度・実行順序出力手段５０３は、システム状態を分析し、第１から第６の処理手段のそれぞれに対応する６個の最適サンプル速度を前記状態１における最適サンプル速度指定テーブル７０１に指定する。また、前記サンプル速度・実行順序出力手段５０３は、システム状態を分析し、処理順Ａにおける第１から第６の処理手段の最適実行順序と、処理順Ｂにおける第１から第６の処理手段の最適実行順序と、を前記状態１における最適実行順序指定テーブル８０１に指定する。
【００６１】
システム状態が状態１から状態２に変化した時、前記サンプル速度・実行順序出力手段５０３は、システム状態を分析し、第２のサンプル速度と第３のサンプル速度を下げてもよいと判断した場合、第２の処理手段の最適サンプル速度と第３の処理手段の最適サンプル速度をそれぞれ「１」から「２」に変更して、前記状態２における最適サンプル速度指定テーブル９０１に指定する。また、前記サンプル速度・実行順序出力手段５０３は、システム状態を分析し、処理順Ａにおける第１から第６の処理手段の最適実行順序と、処理順Ｂにおける第１から第６の処理手段の最適実行順序と、を前記状態２における最適実行順序指定テーブル１００１に指定する。ここで、システム状態が状態１から状態２に変化するとは、例えば、光ディスクの記録中の状態からトラックジャンプの状態に変化するなどのことを言う。また、サンプル速度を下げるとは、例えば、フォーカスエラー信号などのゲインコントロール処理のサンプル速度を下げて実行するなどのことを言う。
【００６２】
システム状態が状態２から状態３に変化した時、前記サンプル速度・実行順序出力手段５０３は、システム状態を分析し、第１から第６のサンプル速度の変更不要と判断した場合、前記状態３における最適サンプル速度指定テーブル１１０１の指定値を前記状態２における最適サンプル速度指定テーブル９０１の指定値と異なる値に変更しない。また、前記サンプル速度・実行順序出力手段５０３は、システム状態を分析し、第２の処理手段と第３の処理手段の実行順序は変更可能であり、且つ該実行順序を変更すればサンプル周期当たりの最大総処理時間を短縮することができると判断した場合、状態２では処理順Ａで第２の処理手段を実行し処理順Ｂで第３の処理手段を実行していた順序を、状態３では処理順Ａで第３の処理手段を実行し処理順Ｂで第２の実行手段を実行するように、処理順Ａにおける第１から第６の処理手段の最適実行順序と、処理順Ｂにおける第１から第６の処理手段の最適実行順序と、を前記状態３における最適実行順序指定テーブル１２０１に指定することで、前記状態３におけるサンプル周期当たりの最大総処理時間６０９を短縮することができる。
【００６３】
ここで、前記第１から第Ｎの処理手段は全て一定間隔で開始するタイマ割込処理であるものとし、サンプル周期内における、前記状態３におけるサンプル周期当たりの最大総処理時間６０９以外の期間はタイマ割込処理以外の処理が動作しているものとすると、前記状態３におけるサンプル周期当たりの最大総処理時間６０９を短縮することで、前記タイマ割込処理以外の処理時間をサンプル周期内に長く確保することができる。
【００６４】
また、制御手段５０１は、サンプル速度及び実行順序をサンプル速度・実行順序出力手段５０３に出力することで、第１から第６の最適サンプル速度及び第１から第６の処理手段の最適実行順序を直接指定することが可能である。また、制御手段５０１は、最適サンプル速度指定テーブルの指定値及び最適実行順序指定テーブルの指定値をサンプル速度及び実行順序出力手段５０３に直接指定することが可能である。
【００６５】
以上のように、本発明の実施の形態２による光ディスク記録再生装置によれば、システム状態、最適サンプル速度及び最適実行順序を出力する制御手段５０１と、それぞれ第１から第Ｎの最適サンプル速度で動作する第１から第Ｎの処理手段５０２と、システム状態変化を分析して第１から第Ｎの最適サンプル速度及び第１から第Ｎの処理手段の最適実行順序を出力するサンプル速度・実行順序出力手段５０３と、を備え、前記サンプル速度・実行順序出力手段５０３は、前記第１から第Ｎの最適サンプル速度及び前記第１から第Ｎの処理手段の最適実行順序をシステム状態変化に応じて変更することにより、オーバースペック動作を防止して動作効率向上することができるとともに、サンプル周期当たりの最大総処理時間を短縮することができるという効果がある。
【００６６】
（実施の形態３）
以下に、本発明の請求項５に対応する実施の形態３による光ディスク記録再生装置について図１３、及び図１４を用いて説明する。
図１３は、本発明の実施の形態３による光ディスク記録再生装置の構成を示すブロック図である。
【００６７】
図１３に示すように、本実施の形態３による光ディスク記録再生装置は、制御手段１３０１と、第１から第Ｎ（Ｎは１以上の整数）の処理手段１３０２と、サンプル速度・実行順序出力手段１３０３と、前記制御手段１３０１から前記第１から第Ｎの処理手段１３０２への動作クロック供給をオンオフするスイッチ１３０４と、を備える。
制御手段１３０１は、サンプル速度・実行順序出力手段１３０３へシステム状態を出力する。
【００６８】
サンプル速度・実行順序出力手段１３０３は、システム状態変化を分析して第１から第Ｎの最適サンプル速度及び第１から第Ｎの処理手段の最適実行順序を前記第１から第Ｎの処理手段１３０２へ出力するとともに、前記第１から第Ｎの処理手段の最適実行順序を前記制御手段１３０１へ出力する。
【００６９】
前記第１から第Ｎの処理手段１３０２は、前記第１から第Ｎの最適サンプル速度及び前記第１から第Ｎの処理手段の最適実行順序で動作する。
【００７０】
また、前記制御手段１３０１は、前記最適実行順序に応じて前記スイッチ１３０４をオンオフする。
【００７１】
ここで、サンプル周期をＴｓとする。また、サンプル速度が「ｖ（ｖは０以上の数）」の場合、処理手段はｖ＊Ｔｓに１回動作するものとする。例えば、サンプル速度が「２」の場合、処理手段は２Ｔｓに１回動作するものとする。サンプル速度が「１．５」の場合、処理手段は３Ｔｓに２回動作するものとする。ただし、サンプル速度が「０」の場合、処理手段は動作しないものとする。
【００７２】
また、サンプル速度・実行順序出力手段１３０３が出力する第１から第Ｎの最適サンプル速度は、Ｎ個の別々な任意値である。
【００７３】
また、システム状態とは、例えばフォーカスオン状態、トラッキングオン状態、記録中の状態、再生中の状態、シーク中の状態、等を指すものとし、システム状態変化とは、例えばシステム状態が記録中の状態から再生中の状態へ変化する、等を指すものとする。
【００７４】
また、前記サンプル速度・実行順序出力手段１３０３及び前記第１から第Ｎの処理手段１３０２は、例えばソフトウェアによる実現が可能であるが、ハードウェアによる実現も可能である。
【００７５】
次に、本発明の実施の形態３による光ディスク記録再生装置の動作について説明する。
図１４は、本発明の実施の形態３による光ディスク記録再生装置の動作を示す図である。ここで、状態１は第１のシステム状態を示し、状態２は第２のシステム状態を示し、処理１から処理６は第１から第６の処理手段を示している。
【００７６】
図１４において、１４０１は状態２の処理順Ａにおける第２の処理手段のサンプル周期当たりの処理時間であり、１４０２は状態２の処理順Ｂにおける第１から第Ｎの処理手段の全てが動作不要となる期間である。
【００７７】
図１４では例として、システム状態が状態１から状態２に変化した場合の第１から第３の処理手段の動作を示しており、状態１における第１の最適サンプル速度は「１」であり、状態１における第２の最適サンプル速度は「１」であり、状態１における第３の最適サンプル速度は「１」であり、状態２における第１の最適サンプル速度は「１」であり、状態２における第２の最適サンプル速度は「２」であり、状態２における第３の最適サンプル速度は「１」である。
【００７８】
また、図１４における処理順は、状態１の処理順Ａ、状態１の処理順Ｂ、状態２の処理順Ａ、状態２の処理順Ｂ、の順である。
【００７９】
システム状態が状態１から状態２に変化した時、前記サンプル速度・実行順序出力手段１３０３は、システム状態を分析し、第２のサンプル速度を下げてもよいと判断した場合、第２の処理手段のサンプル速度を「１」から「２」に下げるとともに状態２の処理順Ｂにおいて前記第１から第Ｎの処理手段１３０２の全てが動作不要となる期間１４０２を設け、前記制御手段１３０１は、前記第１から第Ｎの処理手段１３０２の全てが動作不要となる期間１４０２の間のみ前記スイッチ１３０４をオフにし、前記第１から第Ｎの処理手段１３０２へのクロック供給を止めることで、システムの消費電力を抑えることができる。ここで、システム状態が状態１から状態２に変化するとは、例えば、光ディスクの記録中の状態からトラックジャンプの状態に変化するなどのことを言う。また、サンプル速度を下げるとは、例えば、フォーカスエラー信号などのゲインコントロール処理のサンプル速度を下げて実行するなどのことを言う。
【００８０】
また、状態２の処理順Ｂにおいて、前記第１の処理手段の処理終了直後に前記第３の処理手段の処理を開始することで、前記第１から第Ｎの処理手段の全てが動作不要となる期間１４０２を、前記第３の処理手段の処理終了後に設けることもできる。
【００８１】
以上のように、本発明の実施の形態３による光ディスク記録再生装置によれば、システム状態、最適サンプル速度及び最適実行手段を出力する制御手段１３０１と、それぞれ第１から第Ｎの最適サンプル速度で動作する第１から第Ｎの処理手段１３０２と、システム状態変化を分析して第１から第Ｎの最適サンプル速度及び第１から第Ｎの処理手段の最適実行順序を出力するサンプル速度・実行順序出力手段１３０３と、前記制御手段１３０１から前記第１から第Ｎの処理手段１３０２への動作クロック供給をオンオフするスイッチ１３０４と、を備え、前記制御手段１３０１は、前記第１から第Ｎの処理手段１３０２の全てが動作不要となる期間１４０２が単一サンプル周期内に存在する場合、前記第１から第Ｎの処理手段１３０２の全てが動作不要となる期間１４０２の間のみ前記第１から第Ｎの処理手段へのクロック供給を止めることにより、システムの消費電力を抑えることができるという効果がある。
【００８２】
（実施の形態４）
以下に、本発明の請求項６に対応する実施の形態４による光ディスク記録再生装置について図１５を用いて説明する。
図１５は、本発明の実施の形態４による光ディスク記録再生装置における第１から第Ｎ（Ｎは１以上の整数）のパラメータ群を示す図である。
【００８３】
図１５において、第１の処理手段１５０１が備える第１のパラメータ群１５０４は、前記第１の処理手段１５０１が用いるパラメータのうち第１の最適サンプル速度に依存して値の変わるパラメータの群である。
【００８４】
第２の処理手段１５０２が備える第２のパラメータ群１５０５は、前記第２の処理手段１５０２が用いるパラメータのうち第２の最適サンプル速度に依存して値の変わるパラメータの群である。
【００８５】
第Ｎの処理手段１５０３が備える第Ｎのパラメータ群１５０６は、前記第Ｎの処理手段１５０３が用いるパラメータのうち第Ｎの最適サンプル速度に依存して値の変わるパラメータの群である。
【００８６】
次に、本発明の実施の形態４による光ディスク記録再生装置の動作について説明する。
図１５において、前記第１の処理手段１５０１は、第１の最適サンプル速度の変更に連動して前記第１のパラメータ群１５０４が備える全てのパラメータ値を変更し、前記第２の処理手段１５０２は、第２の最適サンプル速度の変更に連動して前記第２のパラメータ群１５０５が備える全てのパラメータ値を変更し、前記第Ｎの処理手段１５０３は、第Ｎの最適サンプル速度の変更に連動して前記第Ｎのパラメータ群１５０６が備える全てのパラメータ値を変更することで、前記第１から第Ｎの最適サンプル速度を変更した場合でも前記第１から第Ｎの時間依存パラメータを常に正しく設定することができる。
【００８７】
ここで、最適サンプル速度を変更した場合でも時間依存パラメータを常に正しく設定する必要のある例を述べる。例えば、システム状態が光ディスクの記録中の状態からトラックジャンプの状態に変化した時に、フォーカスエラー信号などのゲインコントロール処理のサンプル速度を下げて実行したとする。この時、前記ゲインコントロール処理中のローパスフィルタのカットオフ周波数を変えずに前記ゲインコントロール処理を実行したい場合には前記ローパスフィルタの係数を変更する必要がある。このように、最適サンプル速度を高い速度から低い速度に変更したとき、最適サンプル速度の変更に連動してパラメータを変更することで、最適サンプル速度が低いときでも消費電力が低いままで最適サンプル速度が高いときと同じ動作をすることができる。
【００８８】
以上のように、本発明の実施の形態４による光ディスク記録再生装置によれば、前記第１、第２、第Ｎの処理手段１５０１、１５０２、１５０３は、第１、第２、第Ｎのパラメータ群１５０４、１５０５、１５０６を備え、前記第１、第２、第Ｎの処理手段１５０１、１５０２、１５０３は、前記第１、第２、第Ｎの最適サンプル速度の変更に連動して前記第１、第２、第Ｎのパラメータ群１５０４、１５０５、１５０６のパラメータ値を変更することにより、前記第１、第２、第Ｎの最適サンプル速度を変更した場合でも前記第１、第２、第Ｎの時間依存パラメータを常に正しく設定することができるという効果がある。
【産業上の利用可能性】
【００８９】
本発明にかかる光ディスク記録再生装置は、システム状態変化を分析して第１から第Ｎ（Ｎは１以上の整数）の最適サンプル速度を出力するサンプル速度出力手段と、それぞれ前記第１から第Ｎの最適サンプル速度で動作する第１から第Ｎの処理手段とを備え、高倍速記録及び低消費電力を要求される光ディスク記録再生装置に有用である。
【図面の簡単な説明】
【００９０】
【図１】本発明の実施の形態１による光ディスク記録再生装置の構成を示すブロック図
【図２】本発明の実施の形態１による光ディスク記録再生装置の動作を示す図
【図３】従来の光ディスク記録再生装置の構成を示すブロック図
【図４】従来の光ディスク記録再生装置の動作を示す図
【図５】本発明の実施の形態２による光ディスク記録再生装置の構成を示すブロック図
【図６】本発明の実施の形態２による光ディスク記録再生装置の動作を示す図
【図７】本発明の実施の形態２による光ディスク記録再生装置の状態１における最適サンプル速度指定テーブル
【図８】本発明の実施の形態２による光ディスク記録再生装置の状態１における最適実行順序指定テーブル
【図９】本発明の実施の形態２による光ディスク記録再生装置の状態２における最適サンプル速度指定テーブル
【図１０】本発明の実施の形態２による光ディスク記録再生装置の状態２における最適実行順序指定テーブル
【図１１】本発明の実施の形態２による光ディスク記録再生装置の状態３における最適サンプル速度指定テーブル
【図１２】本発明の実施の形態２による光ディスク記録再生装置の状態３における最適実行順序指定テーブル
【図１３】本発明の実施の形態３による光ディスク記録再生装置の構成を示すブロック図
【図１４】本発明の実施の形態３による光ディスク記録再生装置の動作を示す図
【図１５】本発明の実施の形態４による光ディスク記録再生装置における第１から第Ｎのパラメータ群を示す図
【符号の説明】
【００９１】
１０１、３０１、５０１、１３０１  制御手段
１０２、３０２、５０２、１３０２  第１から第Ｎの処理手段
１０３  サンプル速度出力手段
５０３、１３０３  サンプル速度・実行順序出力手段
７０１  状態１における最適サンプル速度指定テーブル
８０１  状態１における最適実行順序指定テーブル
９０１  状態２における最適サンプル速度指定テーブル
１００１  状態２における最適実行順序指定テーブル
１１０１  状態３における最適サンプル速度指定テーブル
１２０１  状態３における最適実行順序指定テーブル
１３０４  スイッチ
１５０４  第１のパラメータ群
１５０５  第２のパラメータ群
１５０６  第Ｎのパラメータ群
【図１】
2005339605.tif 000003
【図２】
2005339605.tif 000004
【図３】
2005339605.tif 000005
【図４】
2005339605.tif 000006
【図５】
2005339605.tif 000007
【図６】
2005339605.tif 000008
【図７】
2005339605.tif 000009
【図８】
2005339605.tif 000010
【図９】
2005339605.tif 000011
【図１０】
2005339605.tif 000012
【図１１】
2005339605.tif 000013
【図１２】
2005339605.tif 000014
【図１３】
2005339605.tif 000015
【図１４】
2005339605.tif 000016
【図１５】
2005339605.tif 000017